(57)【要約】【課題】加熱された方立の伸長による上枠及び下枠の変形が生じ難い枠体を備えた建具を提供する。【解決手段】開口を閉塞可能に移動する障子と、前記障子を案内する上枠及び下枠と、前記開口を閉塞した前記障子の見込み方向に対向し前記上枠及び前記下枠を連結して前記開口を形成する方立と、前記方立の上下にそれぞれ配置される金属製の上配置部材及び下配置部材と、を有する。【選択図】図３
2019002230.tif 000002
【特許請求の範囲】
【請求項１】
開口を閉塞可能に移動する障子と、
前記障子を案内する上枠及び下枠と、
前記開口を閉塞した前記障子の見込み方向に対向し前記上枠及び前記下枠を連結して前記開口を形成する方立と、
前記方立の上下にそれぞれ配置される金属製の上配置部材及び下配置部材と、
を有することを特徴とする建具。
【請求項２】
請求項１に記載の建具であって、
前記方立と、前記上配置部材及び前記下配置部材とは、金属製の連結部材により連結されていることを特徴とする建具。
【請求項３】
請求項１または請求項２に記載の建具であって、
前記上枠及び前記下枠は、長手方向に沿い見込み方向に隣り合う２つの中空部を有し、
前記上配置部材は、前記上枠の前記２つの中空部のうちの一方の前記中空部内に配置され、前記上枠の前記２つの中空部を隔てる隔壁は、前記方立の上に位置し、
前記下配置部材は、前記下枠の前記２つの中空部のうちの一方の前記中空部内に配置され、前記下枠の前記２つの中空部を隔てる隔壁は、前記方立の下に位置していることを特徴とする建具。
【発明の詳細な説明】
【技術分野】
【０００１】
本発明は、方立を含む枠体を備えた建具に関する。
【背景技術】
【０００２】
方立を含む枠体を備えた建具としては、例えば、アルミニウム製の枠体及び障子を備えた片引き戸用の建具が知られている（例えば、特許文献１参照）。枠体は、上枠、下枠、左右の縦枠を四周枠組みし、躯体に設けられている開口の縁部に一方の縦枠と上枠、下枠とが開口の３方の縁に沿う位置に配置した状態で躯体に取り付けられている。また、開口において一方の縦枠が沿う縁と平行をなす、開口の他の縁に沿わせて配置された方立が上枠及び下枠に固定されている。
【先行技術文献】
【特許文献】
【０００３】
【特許文献１】特開２０１７−５３１４５号公報
【発明の概要】
【発明が解決しようとする課題】
【０００４】
上記のような建具は、火災等により加熱されて方立枠が伸長すると、上枠が上方に、下枠が下方に押圧されて、上枠と下枠との間隔が押し広げられる。このとき、上枠及び下枠は、建物等から張り出している先端側の間隔が広がるように変形すると障子が外れる虞がある。
【０００５】
本発明は、かかる課題に鑑みてなされたものであり、その目的とするところは、加熱された方立の伸長による上枠及び下枠の変形が生じ難い枠体を備えた建具を提供することにある。
【課題を解決するための手段】
【０００６】
かかる目的を達成するために本発明の建具は、開口を閉塞可能に移動する障子と、
前記障子を案内する上枠及び下枠と、前記開口を閉塞した前記障子の見込み方向に対向し前記上枠及び前記下枠を連結して前記開口を形成する方立と、前記方立の上下にそれぞれ配置される金属製の上配置部材及び下配置部材と、を有することを特徴とする建具である。
【０００７】
このような建具によれば、方立の上下に金属製の上配置部材及び下配置部材が配置されているので、たとえ方立が加熱されて伸長したとしても上配置部材及び下配置部材により伸長が抑制され、上枠及び下枠において、躯体から張り出している先端側の間隔が開く方向への変形が抑制される。このため、加熱された方立の伸長による上枠及び下枠の変形が生じ難い枠体を備えた建具を提供することが可能である。
【０００８】
かかる建具であって、前記方立と、前記上配置部材及び前記下配置部材とは、金属製の連結部材により連結されていることが望ましい。
このような建具によれば、金属製の連結部材により、方立と、上配置部材及び下配置部材とが各々連結されているので、方立の伸長をより抑制することが可能である。
【０００９】
かかる建具であって、前記上枠及び前記下枠は、長手方向に沿い見込み方向に隣り合う２つの中空部を有し、前記上配置部材は、前記上枠の前記２つの中空部のうちの一方の前記中空部内に配置され、前記上枠の前記２つの中空部を隔てる隔壁は、前記方立の上に位置し、前記下配置部材は、前記下枠の前記２つの中空部のうちの一方の前記中空部内に配置され、前記下枠の前記２つの中空部を隔てる隔壁は、前記方立の下に位置していることが望ましい。
【００１０】
このような建具によれば、方立は、上配置部材及び下配置部材のみならず、２つの中空部を隔てる隔壁によっても、伸長が抑制されるので、方立の伸長をより確実に抑制することが可能である。
【発明の効果】
【００１１】
本発明によれば、加熱された方立の伸長による上枠及び下枠の変形が生じ難い枠体を備えた建具を提供することが可能である。
【図面の簡単な説明】
【００１２】
【図１】本実施形態に係る建具を示す内観図である。
【図２】本実施形態に係る建具を示す横断面図である。
【図３】図２におけるＡ−Ａ断面図である。
【図４】図２におけるＢ部拡大図である。
【図５】下変形抑制部材における他の実施例を示す縦断面図である。
【発明を実施するための形態】
【００１３】
以下、本発明の一実施形態に係る建具について図面を参照して説明する。
本実施形態の建具として、例えば、勝手口などに設けられる引戸障子を備えた片引き戸用の建具１を例に挙げて説明する。
【００１４】
以下の説明においては、建物等に取り付けられた状態の建具１を室内側から見たときに、上下となる方向を上下方向、左右となる方向を左右方向、室内外方向である奥行き方向を見込み方向として示す。建具１の各部位であっても、また、建具１を構成する各部材については単体の状態であっても、建物等に取り付けられた状態にて上下方向、左右方向、見込み方向となる方向にて方向を特定して説明する。
【００１５】
図１〜図３に示すように、建具１は、建物に取り付けられた枠体２と、枠体２により案内されて左右方向にスライド移動可能な引戸障子（以下、障子という）３と、躯体４に固定されて枠体２を支持する金属製の枠体支持部材５と、を有している。
【００１６】
障子３は、矩形状の複層ガラス３１と、複層ガラス３１の周縁部を収容し矩形状に框組みされた框体３２と、を有している。框体３２は、複層ガラス３１の上下に位置する上框３２ａ及び下框３２ｂと、左右に位置する戸先框３２ｃ及び召合せ框３２ｄと、を有している。上框３２ａは、左右方向に間隔を空けて配置される戸先框３２ｃと召合せ框３２ｄとの上端部間に介在されて接合され、下框３２ｂは戸先框３２ｃと召合せ框３２ｄとの下端部間に介在されて接合されている。
【００１７】
枠体２は、上下方向に間隔を空けて配置された上枠２１、および、下枠２２と、上枠２１及び下枠２２の長手方向における一方の端部同士を連結する戸先枠２３と、上枠２１及び下枠２２の長手方向におけるほぼ中央に位置し上下方向に連結する方立２４と、を有している。上枠２１、下枠２２、戸先枠２３、及び、方立２４は、いずれもアルミニウム製の押出成形材である。
【００１８】
上枠２１及び下枠２２には、障子３が案内されるレール２１ａ、２２ａが長手方向に沿って設けられており、障子３は戸先枠２３と方立２４との間に形成されている開口２ａを閉塞可能である。本実施形態の建具１は、枠体２が建物の躯体４に固定された状態で、上枠２１及び下枠２２のレール２１ａ、２２ａが設けられている室外側の部位が外壁１ａより外側に張り出している。
【００１９】
方立２４は、図４に示すように、長手方向に沿い見込み方向に並ぶ２つの中空部２４ｄ、２４ｅを有し、室外側の中空部２４ｄを形成する室外側方立壁部２４ｆの室外側に障子３の召合せ框３２ｄと係合する煙返しが設けられている。室内側の中空部２４ｅは、左右方向に長いほぼ長方形状をなし、室外側の中空部２４ｄは、室内側の中空部２４ｅの左右方向におけるほぼ中央より右側の部位と見込み方向に並ぶように設けられている。室内側の中空部２４ｅ内には、左右方向におけるほぼ中央に、見込み方向において互いに対向する側に突出するリブ２４ｇが設けられている。
【００２０】
図３に示すように、方立２４の上下の端部には、室内側の中空部２４ｅ内にそれぞれ、スチール等の金属製の端部金具６が設けられている。端部金具６は、上枠２１及び下枠２２に設けられている後述する上変形抑制部材７または下変形抑制部材８と方立２４を連結するための部材である。方立２４の上端及び下端に配置される端部金具６は、同一の部材であり上下の向きを反転して使用する。端部金具６は、方立２４の長手方向と直行し、上枠２１及び下枠２２において互いに対面する上枠下面部２１ｇ及び下枠上面部２２ｇと対向させて配置される対向板部６ａと、対向板部６ａの室内側及び室外側の縁から各々方立の長手方向に延出された２つの延出板部６ｂとを有している。
【００２１】
端部金具６の見込み方向の幅は、方立２４の室内側の中空部２４ｅの見込み方向の幅より僅かに狭く形成されている。また、２つの延出板部６ｂは、対向板部６ａの左右方向の幅より狭く形成され一方側に偏らせて設けられている。そして、２つの延出板部６ｂは、方立２４の室内側の中空部２４ｅに設けられたリブ２４ｇより左側、すなわち室外側の中空部２４ｄが設けられていない側に配置され、対向板部６ａがリブ２４ｇよりも右側に突出するように配置される。
【００２２】
上枠２１は、長手方向に沿い見込み方向に並ぶ２つの中空部２１ｄ、２１ｅを有している。２つの中空部２１ｄ、２１ｅは、上枠２１の見込み方向におけるほぼ中央にて分かれており、室外側の中空部２１ｄの下に上側のレール２１ａが設けられている。また、見込み方向に隣り合う２つの中空部２１ｄ、２１ｅを隔てる隔壁２１ｆは、方立２４の室外側の中空部２４ｄを形成する室外側方立壁部２４ｆのほぼ真上に位置している。
【００２３】
上枠２１の室内側の中空部２１ｅ内には、方立２４の上に配置され、火災等により加熱されて伸長した方立２４による上枠２１の変形を抑えるための上変形抑制部材７が設けられている。上変形抑制部材７は、断面形状がコ字状をなすスチール等の金属製の部材であり、室内側の中空部２１ｅを形成する上枠下面部２１ｇと対向する下面対向部７ａと、下面対向部７ａの見込み方向における両端部から上方に立設された立設壁部７ｂとを有している。
【００２４】
上変形抑制部材７は、下面対向部７ａが上枠下面部２１ｇに当接された状態で室内側の立設壁部７ｂが、上枠２１の室内側の中空部２１ｅを形成する室内側壁部２１ｈに室内側からビス止めされている。上変形抑制部材７は、方立２４の左右方向の幅より広く形成されており、方立２４より左右方向に突出させて配置されている。本実施形態における上変形抑制部材７は、方立２４の小口が上枠下面部２１ｇと対向する領域よりも大きく形成されている。
【００２５】
上変形抑制部材７が固定された上枠２１には、上枠下面部２１ｇの下に端部金具６の対向板部６ａが当接され、対向板部６ａ側から進入し上枠下面部２１ｇを貫通するビスが対向板部６ａに螺合されて端部金具６が固定されている。すなわち、上枠２１の上枠下面部２１ｇには、延出板部６ｂが下方に突出させて設けられている。
【００２６】
方立２４は、上部の小口に延出板部６ｂを挿入して、上部の小口と上変形抑制部材７とが上枠下面部２１ｇを介して対向し小口が上枠下面部２１ｇに当接した状態で、見込み方向に進入し方立２４を貫通するビスが２つの延出板部６ｂに各々螺合されて方立２４と端部金具６とが連結されている。この状態で、方立２４と上変形抑制部材７とは、端部金具６を介して連結されている。ここで、上変形抑制部材７が、方立２４の上に配置される金属製の上配置部材に相当し、端部金具６が、方立２４と上変形抑制部材７とを連結する連結部材に相当する。
【００２７】
下枠２２は、長手方向に沿い見込み方向に並ぶ２つの中空部２２ｄ、２２ｅを有している。２つの中空部２２ｄ、２２ｅは、下枠２２の見込み方向におけるほぼ中央にて分かれており、室外側の中空部２２ｄの上に下側のレール２２ａが設けられている。また、見込み方向に隣り合う２つの中空部２２ｄ、２２ｅを隔てる隔壁２２ｆは、方立２４の室外側の中空部２４ｄを形成する室外側方立壁部２４ｆより室内側に位置している。
【００２８】
下枠２２の室内側の中空部２２ｅ内には、方立２４の下に配置され、火災等により加熱されて伸長した方立２４による下枠２２の変形を抑えるための下変形抑制部材８が設けられている。下変形抑制部材８は、断面形状がＬ字状をなすスチール等の金属製の部材であり、室内側の中空部２２ｅを形成する下枠上面部２２ｇと対向する上面対向部８ａと、上面対向部８ａの室内側の縁から下方に垂設された垂設壁部８ｂとを有している。
【００２９】
下変形抑制部材８は、上面対向部８ａが下枠上面部２２ｇに当接された状態で室内側の垂設壁部８ｂが、下枠２２の室内側の中空部２２ｅを形成する室内側壁部２２ｈに室内側からビス止めされている。下変形抑制部材８は、方立２４の左右方向の幅より広く形成されており、方立２４より左右方向に突出させて配置されている。本実施形態における下変形抑制部材８は、方立２４の小口が下枠上面部２２ｇと対向する領域よりも大きく形成されている。
【００３０】
下変形抑制部材８が固定された下枠２２には、下枠上面部２２ｇの上に端部金具６の対向板部６ａが当接され、対向板部６ａ側から進入し下枠上面部２２ｇを貫通するビスが対向板部６ａに螺合されて端部金具６が固定されている。すなわち、下枠２２の下枠上面部２２ｇには、延出板部６ｂが上方に突出させて設けられている。
【００３１】
方立２４は、下部の小口に延出板部６ｂを挿入して、下部の小口と下変形抑制部材８とが下枠上面部２２ｇを介して対向し小口が下枠上面部２２ｇに当接した状態で、見込み方向に進入し方立２４を貫通するビスが２つの延出板部６ｂに各々螺合されて方立２４と端部金具６とが連結されている。この状態で、方立２４と下変形抑制部材８とは、端部金具６を介して連結されている。ここで、下変形抑制部材８が、方立２４の下に配置される金属製の下配置部材に相当し、端部金具６が、方立２４と下変形抑制部材８とを連結する連結部材に相当する。
【００３２】
本実施形態の建具１によれば、方立２４の上下に、方立２４の小口と対向する金属製の上変形抑制部材７及び下変形抑制部材８が備えられているので、たとえ方立２４が加熱されて伸長したとしても上変形抑制部材７及び下変形抑制部材８により伸長が抑制され、上枠２１及び下枠２２において、躯体４から張り出している先端側の間隔が開く方向への変形が抑制される。このため、加熱された方立２４の伸長による上枠２１及び下枠２２の変形が生じ難い枠体２を備えた建具１を提供することが可能である。
【００３３】
また、金属製の端部金具６により、方立２４と、上変形抑制部材７及び下変形抑制部材８とが各々連結されているので、方立２４の伸長をより抑制することが可能である。
【００３４】
また、上枠２１の中空部２１ｄ、２１ｅを隔てる隔壁２１ｆは、室外側方立壁部２４ｆのほぼ真上に位置し、下枠２２の中空部２２ｄ、２２ｅを隔てる隔壁２２ｆは、室外側方立壁部２４ｆより室内側に位置している。このため、方立２４は、上変形抑制部材７及び下変形抑制部材８のみならず、上枠２１の隔壁２１ｆ及び下枠２２の隔壁２２ｆによっても、伸長が抑制されるので、方立２４の伸長をより確実に抑制することが可能である。
【００３５】
上記実施形態においては、下変形抑制部材８が、断面形状がＬ字状をなしている例について説明したが、これに限るものではない。例えば、図５に示すように、下変形抑制部材８の室内側の垂設壁部８ｂが、室内側の中空部２２ｅを形成する室内側下面部２２ｋの近傍まで垂設されており、室内側の垂設壁部８ｂの下端に室外側に延出された下端延出部８ｃが設けられていてもよい。この場合には、下変形抑制部材８の下端延出部８ｃと枠体支持部材５とがより近付くため、下枠２２の変形をより確実に抑制することが可能である。
【００３６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３７】
１  建具、２ａ  開口、３  障子、６  端部金具、７  上変形抑制部材、
８  下変形抑制部材、２１  上枠、２１ｄ  中空部、２１ｅ  中空部、２１ｆ  隔壁、
２２  下枠、２２ｄ  中空部、２２ｅ  中空部、２２ｆ  隔壁、２４  方立
【図１】
2019002230.tif 000003
【図２】
2019002230.tif 000004
【図３】
2019002230.tif 000005
【図４】
2019002230.tif 000006
【図５】
2019002230.tif 000007